(57)【特許請求の範囲】
【請求項１】
互いに対向する固定側板と移動側板との間に被収納物品を収納するとともに、該移動側板の移動により収納幅を調整できるようにしたマガジンラックであって、該マガジンラックは、天板と底板とを着脱可能に連結する支柱と、該天板下面および底板上面のそれぞれに平行に対向配設され、前記移動側板の移動方向に沿って延在する各一対のガイドレールと、該各一対のガイドレール間に懸架されるとともに前記移動側板に連結されて該移動側板と一体的に移動可能とされた天板側移動側板保持部材および底板側移動側板保持部材と、天板側移動側板保持部材の姿勢を一定に保持した状態で同期移動させる天板側同期移動機構部と、底板側移動側板保持部材の姿勢を一定に保持した状態で同期移動させる底板側同期移動機構部と、天板側同期移動機構部と底板側同期移動機構部とを連結し、天板側移動側板保持部材と底板側移動側板保持部材とを同一方向に同期移動させる上下同期移動機構部とからなり、天板側同期移動機構部および底板側同期移動機構部は略クランク状に張り渡された索状体および略逆クランク状に張り渡された索状体を有し、該両索状体に移動側板保持部材を接続することにより移動側板保持部材の姿勢を一定に保持した状態で同期移動させるように構成したことを特徴とする収納幅調整式マガジンラック。
【請求項２】
天板側同期移動機構部および底板側同期移動機構部は、各移動側板保持部材の両ガイドレール懸架位置近傍に設けられた各２個のプーリーと、一のガイドレールの一端側に固定され、該一のガイドレール近傍に設けられた一のプーリー、他のガイドレール近傍に設けられた一のプーリーに順次、巻回され、他のガイドレールの他端側に固定されて略クランク状を呈するワイヤーと、一のガイドレールの他端側に固定され、該一のガイドレール近傍に設けられた他のプーリー、他のガイドレール近傍に設けられた他のプーリーに順次、巻回され、他のガイドレールの一端側に固定されて略逆クランク状を呈するワイヤーとから構成することを特徴とする請求項１記載の収納幅調整式マガジンラック。
【請求項３】
上下同期移動機構部は、天板側移動側板保持部材の両ガイドレール中間位置近傍に設けられた天板側中間プーリーと、底板側移動側板保持部材の両ガイドレール中間位置近傍に設けられた底板側中間プーリーと、天板側中間プーリーと底板側中間プーリーとを着脱可能に連結する連結軸とからなり、該各中間プーリーには略クランク状を呈するワイヤーおよび略逆クランク状を呈するワイヤーをそれぞれ巻回するように構成したことを特徴とする請求項１または２記載の収納幅調整式マガジンラック。
【請求項４】
互いに対向する固定側板と移動側板とを２組有するとともに、天板側移動側板保持部材、底板側移動側板保持部材、天板側同期移動機構部、底板側同期移動機構部、および上下同期移動機構部を、各２組設けることを特徴とする請求項１ないし３記載の収納幅調整式マガジンラック。
【発明の詳細な説明】
【０００１】
【発明の属する技術分野】
本発明は、互いに対向する固定側板と移動側板との間にプリント基板等の板状物品や電装品を収容したシャーシ等の箱状体（以下、被収納物品という）を、一時的に収納して保管するために使用する収納幅を調整できるようにしたマガジンラックに関する。
【０００２】
【従来の技術】
従来より被収納物品の加工、組立等の作業を行う際にそれらを一時的に収納して保管するために使用するマガジンラックであって、固定された側板（以下、固定側板という）と移動可能な側板（以下、移動側板という）とを対向させて設け、該移動側板を移動させることによって前記被収納物品に合わせて収納幅を調整できるように構成されたマガジンラックが知られている。
例えば、実用新案登録第３０５３４０５号にある如く、ロープとローラユニット等からなる駆動機構を天板側および底板側に設け、この駆動機構を用いて移動側板を移動させ、収納幅を調整できるようにしたマガジンラックが提案されている。
【０００３】
【発明が解決しようとする課題】
しかしながら、上記した従来のマガジンラックは、天板側駆動機構と底板側駆動機構との同期をとっていないので、移動側板の移動時に両駆動機構間でずれが生じ、該移動側板が傾いてしまうという欠点があり、また、このため調整に熟練を要し、分解・再組立が煩わしいといった欠点があった。
【０００４】
本発明は、このような従来技術の欠点に鑑みてなされたものであり、簡単かつ迅速に収納幅の調整ができるとともに、製造コストを低く抑えることができ、しかも分解・再組立が容易で、重量の軽い運搬に便利なマガジンラックを提供することを意図するものである。
【０００５】
【課題を解決するための手段】
上記課題を解決するために、本発明に係る収納幅調整式マガジンラックは、互いに対向する固定側板と移動側板との間に被収納物品を収納するとともに、該移動側板の移動により収納幅を調整できるようにしたマガジンラックであって、該マガジンラックは、天板と底板とを着脱可能に連結する支柱と、該天板下面および底板上面のそれぞれに平行に対向配設され、前記移動側板の移動方向に沿って延在する各一対のガイドレールと、該各一対のガイドレール間に懸架されるとともに前記移動側板に連結されて該移動側板と一体的に移動可能とされた天板側移動側板保持部材および底板側移動側板保持部材と、天板側移動側板保持部材の姿勢を一定に保持した状態で同期移動させる天板側同期移動機構部と、底板側移動側板保持部材の姿勢を一定に保持した状態で同期移動させる底板側同期移動機構部と、天板側同期移動機構部と底板側同期移動機構部とを連結し、天板側移動側板保持部材と底板側移動側板保持部材とを同一方向に同期移動させる上下同期移動機構部とからなり、天板側同期移動機構部および底板側同期移動機構部は略クランク状に張り渡された索状体および略逆クランク状に張り渡された索状体を有し、該両索状体に移動側板保持部材を接続することにより移動側板保持部材の姿勢を一定に保持した状態で同期移動させるように構成したことを特徴とするものである。
【０００６】
また、本発明は、天板側同期移動機構部および底板側同期移動機構部は、各移動側板保持部材の両ガイドレール懸架位置近傍に設けられた各２個のプーリーと、一のガイドレールの一端側に固定され、該一のガイドレール近傍に設けられた一のプーリー、他のガイドレール近傍に設けられた一のプーリーに順次、巻回され、他のガイドレールの他端側に固定されて略クランク状を呈するワイヤーと、一のガイドレールの他端側に固定され、該一のガイドレール近傍に設けられた他のプーリー、他のガイドレール近傍に設けられた他のプーリーに順次、巻回され、他のガイドレールの一端側に固定されて略逆クランク状を呈するワイヤーとから構成することを特徴とするものである。
【０００７】
また、本発明は、上下同期移動機構部は、天板側移動側板保持部材の両ガイドレール中間位置近傍に設けられた天板側中間プーリーと、底板側移動側板保持部材の両ガイドレール中間位置近傍に設けられた底板側中間プーリーと、天板側中間プーリーと底板側中間プーリーとを着脱可能に連結する連結軸とからなり、該各中間プーリーには略クランク状を呈するワイヤーおよび略逆クランク状を呈するワイヤーをそれぞれ巻回するように構成したことを特徴とするものである。
【０００８】
また、本発明は、互いに対向する固定側板と移動側板とを２組有するとともに、天板側移動側板保持部材、底板側移動側板保持部材、天板側同期移動機構部、底板側同期移動機構部、および上下同期移動機構部を、各２組設けることを特徴とするものである。
【０００９】
【発明の実施の形態】
以下、本発明に係るマガジンラックの実施の形態として、互いに対向する固定側板と移動側板とを２組有するものの一例を、図面を参照しつつ詳細に説明する。図１は本発明マガジンラックの斜視図であり、全体構成の概略を示すものである。図中、1は天板２および底板３の四隅部に着脱可能に連結され、天板２、底板３とともに箱体Ｃを構成する支柱、Ａ４、Ｂ４は取付ステー５を介して箱体Ｃに固定された固定側板、Ａ６、Ｂ６は収納幅を調整するための移動側板である。
【００１０】
図２は天板２を下方から見た底面図、図３は底板３の斜視図、図４は支柱１と固定側板Ａ４、Ｂ４を取り外した一部断面図、図５は移動側板Ａ６を後方側から見た斜視図である。各図中、７、７は天板２下面に平行に対向配設され、移動側板Ａ６、Ｂ６の移動方向に沿って延在する一対のガイドレール、同様に８、８は底板３上面に平行に対向配設され、移動側板Ａ６、Ｂ６の移動方向に沿って延在する一対のガイドレール、Ａ９、Ｂ９は後述する上下同期移動用シャフトである。Ａ１０、Ａ１０はガイドレール７、７に摺動自在に設けられた保持ブロック、Ａ１１は保持ブロックＡ１０、Ａ１０間に懸架された連結ステーである。Ａ１２、Ａ１２はガイドレール８、８に摺動自在に設けられた保持ブロック、Ａ１３は保持ブロックＡ１２、Ａ１２間に懸架された連結ステーである。Ａ１４、Ａ１４は移動側板Ａ６を保持ブロックＡ１０、Ａ１０および保持ブロックＡ１２、Ａ１２に連結するための移動側板保持具である。
【００１１】
図６は本発明マガジンラックの部分拡大断面図で、移動側板保持具、保持ブロックおよび連結ステーの接続部を詳細に示している。なお、図６は図４中、手前側のガイドレール８に支承された保持ブロックＡ１２を含む部分の構成を説明するものであるが、他の保持ブロックＡ１０、Ａ１０、Ａ１２を含む部分の構成も同一であるので、この図６を説明することで他の保持ブロックＡ１０、Ａ１０、Ａ１２を含む部分の説明は省略する。
図中、Ａ１５は移動側板Ａ６を固定する保持支柱で、該保持支柱Ａ１５に形成した溝部に保持軸Ａ１６を嵌合させ、ネジＡ１７により保持支柱Ａ１５と保持軸Ａ１６とを固定する。Ａ１８は保持軸Ａ１６に形成した穴部（図示せず）に嵌合された保持ピンで、ネジＡ１９により保持軸Ａ１６と保持ピンＡ１８とを固定する。また、該保持ピンＡ１８の先端部を位置固定ブロックＡ２０に形成した穴部に遊嵌させる。位置固定ブロックＡ２０はこれに形成されたネジ部をガイドレール８に支承された保持ブロックＡ１２に対して螺合させ、進退させることにより図７に示す如くネジ部先端をガイドレール８内面に当接または離間させて移動側板Ａ６を固定または移動可能とする。
また、保持ブロックＡ１２と連結ステーＡ１３とは、該連結ステーＡ１３に穿設された透孔Ａ２１を保持ブロックＡ１２に嵌入して連結する。
上記構成により、移動側板Ａ６、移動側板保持具Ａ１４、保持ブロックＡ１２、連結ステーＡ１３、保持ブロックＡ１０および連結ステーＡ１１が連係移動可能になる。
なお、移動側板Ｂ６も移動側板保持具に連結されるが、構成が同一であるので、図示は省略してある。
【００１２】
図２中、Ａ２２、Ａ２３、Ａ２４、Ａ２５はガイドレール７，７近傍の連結ステーＡ１１上に設けられたプーリー、Ａ２６は連結ステーＡ１１の中間位置近傍に設けられた中間プーリーである。該中間プーリーＡ２６には上下同期移動用シャフトＡ９が嵌着する係止部Ａ２７が同軸に設けられている。
Ａ２８は移動側板Ａ６移動用として天板２に設けられたワイヤーで、ワイヤーＡ２８の一端は図２中、上方のガイドレール７の右端近傍に設けられたワイヤー係止部２９に固定され、該ワイヤー係止部２９〜プーリーＡ２３〜プーリーＡ２４に順次、張り渡され、下方のガイドレール７の左端近傍に設けられたワイヤー係止部３０に他端が固定されて、略クランク状を呈している。
同様に、Ａ３１は移動側板Ａ６移動用として天板２に設けられたワイヤーで、ワイヤーＡ３１の一端は図２中、上方のガイドレール７の左端近傍に設けられたワイヤー係止部３２に固定され、該ワイヤー係止部３２からプーリーＡ２２からプーリーＡ２５に順次、張り渡され、下方のガイドレール７の右端近傍に設けられたワイヤー係止部３３に他端が固定されて、略逆クランク状を呈している。
また、両ワイヤーＡ２８、Ａ３１は図８に示す如く、中間プーリーＡ２６に各１周巻回されており、このため移動側板Ａ６の移動に際し、両ワイヤーＡ２８、Ａ３１は常時、相補的に引き合う関係になるので、連結ステーＡ１１は常に一定の姿勢を保持することになる。
ここにおいて、プーリーＡ２２乃至プーリーＡ２５、中間プーリーＡ２６およびワイヤーＡ２８、Ａ３１が移動側板Ａ６の天板側同期移動機構部を構成している。
【００１３】
図３中、Ａ３４、Ａ３５、Ａ３６、Ａ３７はガイドレール８，８近傍の連結ステーＡ１３上に設けられたプーリー、Ａ３８は連結ステーＡ１３の中間位置近傍に設けられた中間プーリーである。該中間プーリーＡ３８には上下同期移動用シャフトＡ９が嵌着する係止部Ａ３９が同軸に設けられている。
Ａ４０は移動側板Ａ６移動用として底板３に設けられたワイヤーで、ワイヤーＡ４０の一端は図３中、斜め上方のガイドレール８の右端近傍に設けられたワイヤー係止部４１に固定され、該ワイヤー係止部４１〜プーリーＡ３５〜プーリーＡ３６に順次、張り渡され、斜め下方のガイドレール８の左端近傍に設けられたワイヤー係止部４２に他端が固定されて、略クランク状を呈している。
同様に、Ａ４３は移動側板Ａ６移動用として底板３に設けられたワイヤーで、ワイヤーＡ４３の一端は図３中、斜め上方のガイドレール８の左端近傍に設けられたワイヤー係止部４４に固定され、該ワイヤー係止部４４からプーリーＡ３４〜プーリーＡ３７に順次、張り渡され、斜め下方のガイドレール８の右端近傍に設けられたワイヤー係止部４５に他端が固定されて、略逆クランク状を呈している。
また、両ワイヤーＡ４０、Ａ４３も図８に示すワイヤーＡ２８、Ａ３１同様、中間プーリーＡ３８に各１周巻回されており、このため移動側板Ａ６の移動に際し、両ワイヤーＡ４０、Ａ４３は常時、相補的に引き合う関係になるので、連結ステーＡ１３は常に一定の姿勢を保持することになる。
ここにおいて、プーリーＡ３４乃至プーリーＡ３７、中間プーリーＡ３８およびワイヤーＡ４０、Ａ４３が移動側板Ａ６の底板側同期移動機構部を構成している。
【００１４】
また、中間プーリーＡ２６に同軸に設けられた係止部Ａ２７および中間プーリーＡ３８に同軸に設けられた係止部Ａ３９には上下同期移動用シャフトＡ９がそれぞれ嵌着しているので、中間プーリーＡ２６と中間プーリーＡ３８とが同期回転することになり、結果として移動側板Ａ６は当初の取付姿勢を保持しつつ同一方向に同期移動することになる。
ここにおいて、中間プーリーＡ２６、中間プーリーＡ３８および上下同期移動用シャフトＡ９が移動側板Ａ６の上下同期移動機構部を構成している。
【００１５】
上記構成のマガジンラックにおいて収納幅を調整するには、位置固定ブロックＡ２０をレンチ等の工具を用いて回動し、ネジ部先端をガイドレール７、８内面から離間させて移動側板Ａ６を任意の位置に移動させ、その後、位置固定ブロックＡ２０のネジ部先端をガイドレール７、８内面に当接させて移動側板Ａ６を固定すればよいので、移動側板Ａ６の移動によるマガジンラックの収納幅の調整を容易に行うことができる。
【００１６】
なお、移動側板Ｂ６に関連する構成および作用は、図２乃至図８で行った移動側板Ａ６に関する上記の説明と同様であるので説明は省略し、各図中に符号のみ示す。ここで、各符号の頭文字をＢとしたものが移動側板Ｂ６に関連する構成を示しており、頭文字に続く番号部は移動側板Ａ６に関連する構成と同一のものには同一の番号部を付してある。
【００１７】
以上、本発明マガジンラックの発明の形態の一例を述べたが、プーリーＡ２２とプーリーＡ２３との相対位置およびプーリーＡ２４とプーリーＡ２５との相対位置を図９に示すように変更することもできる（他のプーリーの相対位置も同様に変更する）。この場合、ワイヤーＡ２８とワイヤーＡ３１とのガイドレール延在方向の干渉がなくなるので、移動側板Ａ６の移動可能区間全域における移動がよりスムーズになる。
【００１８】
また、上記実施の形態では、移動側板Ａ６を固定するのに位置固定ブロックＡ２０を用いたが、これに代えてまたはこれと併用してロック機構Ａ４６を用いることができる。即ち、該ロック機構Ａ４６は、上下同期移動用シャフトＡ９に直交して対向配設した一対のプッシュロッドＡ４７と上下同期移動用シャフトＡ９を挟持するように該プッシュロッドＡ４７を付勢する一対の圧縮バネＡ４８から構成されている。
【００１９】
【発明の効果】
本発明に係るマガジンラックは上記のように構成されるので、移動側板の同期移動が確実に行われ、傾くことなく簡単かつ迅速に収納幅の調整ができる。また、構造が簡素で製造コストを低く抑えることができるとともに分解・再組立が容易で、重量が軽く運搬に便利である。
【図面の簡単な説明】
【図１】  本発明マガジンラックの一実施形態の斜視図
【図２】  本発明マガジンラックの一実施形態の天板の底面図
【図３】  本発明マガジンラックの一実施形態の底板の斜視図
【図４】  本発明マガジンラックの一実施形態の一部断面図
【図５】  本発明マガジンラックの一実施形態の移動側板の斜視図
【図６】  本発明マガジンラックの一実施形態の部分拡大断面図
【図７】  本発明マガジンラックの一実施形態の保持ブロックの断面図
【図８】  本発明マガジンラックの一実施形態の中間プーリーの拡大図
【図９】  本発明マガジンラックの他の実施形態の天板の底面図
【符号の説明】
１            支柱
２            天板
３            底板
Ｃ            箱体
Ａ４、Ｂ４    固定側板
５            取付ステー
Ａ６、Ｂ６    移動側板
７、８        ガイドレール
Ａ９、Ｂ９    上下同期移動用シャフト
Ａ１０、Ｂ１０、Ａ１２、Ｂ１２    保持ブロック
Ａ１１、Ｂ１１、Ａ１３、Ｂ１３    連結ステー
Ａ１４                            移動側板保持具
Ａ１５                            保持支柱
Ａ１６                            保持軸
Ａ１７、Ａ１９                    ネジ
Ａ１８                            保持ピン
Ａ２０                            位置固定ブロック
Ａ２１                            透孔
Ａ２２、Ａ２３、Ａ２４、Ａ２５    プーリー
Ｂ２２、Ｂ２３、Ｂ２４、Ｂ２５    プーリー
Ａ２６、Ａ３８、Ｂ２６、Ｂ３８    中間プーリー
Ａ２７、Ａ３９、Ｂ２７、Ｂ３９    係止部
Ａ２８、Ａ３１、Ａ４０、Ａ４３    ワイヤー
Ｂ２８、Ｂ３１、Ｂ４０、Ｂ４３    ワイヤー
２９、３０、３２，３３            ワイヤー係止部
Ａ３４、Ａ３５、Ａ３６、Ａ３７    プーリー
Ｂ３４、Ｂ３５、Ｂ３６、Ｂ３７    プーリー
４１、４２、４４，４５            ワイヤー係止部
Ａ４６                            ロック機構
Ａ４７                            プッシュロッド
Ａ４８                            圧縮バネ
【図１】
0004491128.tif 000002
【図２】
0004491128.tif 000003
【図３】
0004491128.tif 000004
【図４】
0004491128.tif 000005
【図５】
0004491128.tif 000006
【図６】
0004491128.tif 000007
【図７】
0004491128.tif 000008
【図８】
0004491128.tif 000009
【図９】
0004491128.tif 000010